(57)【要約】【課題】架の背面で光ケーブル接続用コネクタを取り外すことなく、架の前面側から端面対象の光ケーブル接続用コネクタの端面を簡単に清掃することができる光コネクタ端面清掃用パッケージおよび該光コネクタ端面清掃用パッケージを用いた光コネクタ端面清掃方法を提供する。【解決手段】光伝送装置パッケージ３を光伝送装置架１から取り外し、この取り外した位置に光コネクタ端面清掃用パッケージ５を挿入し、光コネクタスティッククリーナ７の一端に取り付けられている清掃部材の端面をパッケージ側光コネクタ８の端面に当接させ、この当接状態で清掃部材取付部１７を回転させ、これにより清掃部材の端面を回転させて光ケーブル接続用コネクタ９の端面を清掃する。【選択図】      図１
2004317747.tif 000002
【特許請求の範囲】
【請求項１】
装置実装架に搭載される光信号処理パッケージに取り付けられているパッケージ側光コネクタに接続されるように装置実装架に取り付けられた光ケーブル接続用コネクタの端面を清掃するための光コネクタ端面清掃用パッケージであって、
装置実装架に光信号処理パッケージと同様に搭載され得るように該光信号処理パッケージと同じ大きさのパッケージ基板と、
装置実装架に取り付けられた光ケーブル接続用コネクタの端面を清掃するための清掃部材が一点に取り付けられ、前記パッケージ基板を装置実装架に搭載した場合、前記清掃部材の端面が光ケーブル接続用コネクタの端面に当接して清掃し得るように一端がパッケージ基板の後端部に位置し、他端がパッケージ基板の前端部に露出して位置するようにパッケージ基板上に回転自在に設けられた細長い光コネクタ端面清掃用棒状部と
を有することを特徴とする光コネクタ端面清掃用パッケージ。
【請求項２】
前記清掃部材は、不織布で形成され、
前記光コネクタ端面清掃用棒状部は、前記清掃部材に一端が取り付けられた清掃部材取付部と、この清掃部材取付部の他端に一端が取り付けられ、他端が前記パッケージ基板の前端部に露出して位置する細長い回転伝達部と、この回転伝達部を回転自在に被覆する被覆チューブと、前記回転伝達部に回転させられた場合、この回転に応じて清掃部材取付部が回転するように清掃部材取付部と回転伝達部とを一体的に連結する連結部材と、前記被覆チューブをパッケージ基板に固定する固定部材と、前記清掃部材取付部をパッケージ基板に対して回転自在に取り付ける取付部材とを有する
ことを特徴とする請求項１記載の光コネクタ端面清掃用パッケージ。
【請求項３】
前記光コネクタ端面清掃用棒状部は、他端がパッケージ基板の前端部を通過して装置実装架の前面に延出していることを特徴とする請求項１または２記載の光コネクタ端面清掃用パッケージ。
【請求項４】
前記回転伝達部は、細いコイル状の弾力性のある棒状のスプリングワイヤであることを特徴とする請求項２記載の光コネクタ端面清掃用パッケージ。
【請求項５】
前記光コネクタ端面清掃用棒状部は、一端に取り付けられた清掃部材として光ケーブル接続用コネクタの種類に応じて異なる種類の清掃部材を着脱自在に取り付けられるように構成されていることを特徴とする請求項１乃至４のいずれか１項に記載の光コネクタ端面清掃用パッケージ。
【請求項６】
請求項１乃至５のいずれか１項に記載の光コネクタ端面清掃用パッケージを使用して、装置実装架に搭載される光信号処理パッケージに取り付けられているパッケージ側光コネクタに接続されるように装置実装架に取り付けられた光ケーブル接続用コネクタの端面を清掃する光コネクタ端面清掃方法であって、
前記光信号処理パッケージを装置実装架から取り外し、
この取り外した位置に前記光コネクタ端面清掃用パッケージを挿入して、前記光コネクタ端面清掃用棒状部の一端に取り付けられている清掃部材の端面を前記光ケーブル接続用コネクタの端面に当接させ、
このように端面同士を当接させた状態で前記光コネクタ端面清掃用棒状部を他端から回転させ、これにより清掃部材の端面を回転させて光ケーブル接続用コネクタの端面を清掃する
ことを特徴とする光コネクタ端面清掃方法。
【請求項７】
前記光コネクタ端面清掃用棒状部の回転は、この光コネクタ端面清掃用棒状部の他端を手動で回転させるかまたは該他端に回転駆動装置を接続し、この回転駆動装置の回転力により該光コネクタ端面清掃用棒状部を機械的に回転させることにより行うことを特徴とする請求項６記載の光コネクタ端面清掃方法。
【発明の詳細な説明】
【０００１】
【発明の属する技術分野】
本発明は、例えば光ファイバ通信網の敷設、保守にあたり、光信号を伝送している光ファイバを接続している光コネクタ端面の汚れによる光信号の損失の発生、信頼性の低下を回避するために例えば伝送装置架に取り付けられている光コネクタの端面を清掃する光コネクタ端面清掃用パッケージおよび該光コネクタ端面清掃用パッケージを用いた光コネクタ端面清掃方法に関し、更に詳しくは、例えば伝送装置架などの装置実装架に搭載される例えば光伝送パッケージなどの光信号処理パッケージに取り付けられているパッケージ側光コネクタに接続されるように装置実装架に取り付けられた光ケーブル接続用コネクタの端面を清掃するための光コネクタ端面清掃用パッケージおよび該光コネクタ端面清掃用パッケージを用いた光コネクタ端面清掃方法に関する。
【０００２】
【従来の技術】
光ファイバ通信網では光コネクタ接続箇所において異常損失等が発生した場合、作業現場において光コネクタの端面を清掃する必要がある。このような光コネクタは、例えば図５（ａ）に示すように、光伝送装置架１に搭載されている複数の光伝送装置パッケージ３の各々における光回路を光伝送装置架１の背面側に配線されている複数の光ケーブルに接続するために複数の光伝送装置パッケージ３の各々の後端部と該後端部に対応して光伝送装置架１の背面に設けられている。
【０００３】
更に詳しくは、図５（ｂ）に示すように、光伝送装置架１に搭載されている光伝送装置パッケージ３の後端部（光伝送装置架１の背面側に位置する）に取り付けられているパッケージ側光コネクタ８に対して光伝送装置架１の背面１ａ側に設けられている例えばＭＵコネクタである光ケーブル接続用コネクタ９が点線で示すように接続されているが、この点線で示す光ケーブル接続用コネクタ９の端面、すなわち光ケーブルコネクタ９のパッケージ側光コネクタ８に対向する端面を清掃する。
【０００４】
光ケーブル接続用コネクタ９は、図５（ｂ）において矢印２０１のように、光伝送装置パッケージ３のパッケージ側光コネクタ８から取り外して示すように、光ケーブル接続用コネクタ９は、光ケーブルである光ファイバ９ａに接続され、この光ファイバ９ａの、光ケーブル接続用コネクタ９を貫通した先端９ｂの端面（以下、光ケーブル接続用コネクタ９の端面と称する）がパッケージ側光コネクタ８に面接続、すなわち光ケーブル接続用コネクタ９の端面がパッケージ側光コネクタ８内に設けられている光ファイバなどの光部材の端面と面接続されるようになっている。
【０００５】
このような光ケーブル接続用コネクタ９の端面を清掃するためには、従来、光伝送装置架１に搭載されている複数の光伝送装置パッケージ３のうち、端面清掃しなければならない光伝送装置パッケージ３を光伝送装置架１の前面側から確認してから、光伝送装置架１の背面１ａ側に回って、端面清掃対象の光伝送装置パッケージ３がどれであるかを特定する。
【０００６】
それから、この特定した光伝送装置パッケージ３のパッケージ側光コネクタ８に接続されている光ケーブル接続用コネクタ９を図５（ｂ）の矢印２０１で示すように光伝送装置パッケージ３のパッケージ側光コネクタ８から取り外す。このように光ケーブル接続用コネクタ９を取り外すと、図６に示すようにコネクタクリーナ１０１を用意し、このコネクタクリーナ１０１の清掃面１０１ａに対して前記取り外した光ケーブル接続用コネクタ９の端面を手で擦り付けて、該端面を清掃している。
【０００７】
一方、光ファイバの先端面を清掃するための清掃治具も知られている（例えば、特許文献１参照）。
【０００８】
【特許文献１】
特開平７−２８７１４２号公報
【０００９】
【発明が解決しようとする課題】
上述したように、光ケーブル接続用コネクタ９の端面を清掃する従来の方法では、近年の光伝送装置パッケージ３の小型化および光コネクタの小型化に伴い光伝送装置パッケージ３を多数収容している光伝送装置架１の背面は光ファイバ心線が輻輳しているため、光ケーブル接続用コネクタ９を光伝送装置パッケージ３側から取り外して清掃することが困難であり、場合によっては現用の他の光ファイバ心線に影響を与えることもあるという問題がある。
【００１０】
また、光伝送装置パッケージ３や光コネクタの小型化および光伝送装置架１の背面における光ファイバ心線の輻輳などのために、前記特定した光伝送装置パッケージ３の位置から光伝送装置架１の背面における光ケーブル接続用コネクタ９または光ケーブル接続用コネクタ９に接続されている光ファイバを特定することが困難であり、他の現用の光ケーブル接続用コネクタ９や光ファイバを間違って取り外してしまうという恐れがあるという問題がある。
【００１１】
本発明は、上記に鑑みてなされたもので、その目的とするところは、架の背面で光ケーブル接続用コネクタを取り外すことなく、架の前面側から端面対象の光ケーブル接続用コネクタの端面を簡単に清掃することができる光コネクタ端面清掃用パッケージおよび該光コネクタ端面清掃用パッケージを用いた光コネクタ端面清掃方法を提供することにある。
【００１２】
【課題を解決するための手段】
上記目的を達成するために、請求項１記載の本発明は、装置実装架に搭載される光信号処理パッケージに取り付けられているパッケージ側光コネクタに接続されるように装置実装架に取り付けられた光ケーブル接続用コネクタの端面を清掃するための光コネクタ端面清掃用パッケージであって、装置実装架に光信号処理パッケージと同様に搭載され得るように該光信号処理パッケージと同じ大きさのパッケージ基板と、装置実装架に取り付けられた光ケーブル接続用コネクタの端面を清掃するための清掃部材が一点に取り付けられ、前記パッケージ基板を装置実装架に搭載した場合、前記清掃部材の端面が光ケーブル接続用コネクタの端面に当接して清掃し得るように一端がパッケージ基板の後端部に位置し、他端がパッケージ基板の前端部に露出して位置するようにパッケージ基板上に回転自在に設けられた細長い光コネクタ端面清掃用棒状部とを有することを要旨とする。
【００１３】
請求項１記載の本発明にあっては、光コネクタ端面の清掃対象の光信号処理パッケージと同じ大きさのパッケージ基板上に細長い光コネクタ端面清掃用棒状部を回転自在に取り付け、その一端に取り付けられた清掃部材の端面を光ケーブル接続用コネクタの端面に当接して清掃し得るように構成されているため、光コネクタ端面清掃用棒状部を回転させることで清掃部材の端面を回転させ、この回転する端面に当接している光ケーブル接続用コネクタの端面を簡単に清掃でき、従来のように光ケーブル接続用コネクタを光伝送装置パッケージ側から取り外す必要もなく、また光ファイバが輻輳している光伝送装置架の背面から光ケーブル接続用コネクタや光ファイバを特定する必要もなく、光伝送装置架の前面側から単に光コネクタ端面清掃用パッケージを挿入し、光コネクタ端面清掃用棒状部を光伝送装置架の前面側で単に回転させるだけで極めて簡単に清掃対象の光ケーブル接続用コネクタの端面のみを適確に特定して清掃でき、効率化、経済化、迅速化、正確さ、他の光ファイバなどを損傷しないという安全性を向上することができる。
【００１４】
また、請求項２記載の本発明は、請求項１記載の発明において、前記清掃部材が、布織布で形成され、前記光コネクタ端面清掃用棒状部が、前記清掃部材に一端が取り付けられた清掃部材取付部と、この清掃部材取付部の他端に一端が取り付けられ、他端が前記パッケージ基板の前端部に露出して位置する細長い回転伝達部と、この回転伝達部を回転自在に被覆する被覆チューブと、前記回転伝達部が回転させられた場合、この回転に応じて清掃部材取付部が回転するように清掃部材取付部と回転伝達部とを一体的に連結する連結部材と、前記被覆チューブをパッケージ基板に固定する固定部材と、前記清掃部材取付部をパッケージ基板に対して回転自在に取り付ける取付部材とを有することを要旨とする。
【００１５】
請求項２記載の本発明にあっては、清掃部材が不織布で形成され、光コネクタ端面清掃用棒状部は清掃部材取付部の一端に清掃部材を取り付け、この清掃部材取付部を連結部材を介して被覆チューブで被覆された回転伝達部に連結している。
【００１６】
更に、請求項３記載の本発明は、請求項１または２記載の発明において、前記光コネクタ端面清掃用棒状部の他端がパッケージ基板の前端部を通過して装置実装架の前面に延出していることを要旨とする。
【００１７】
請求項３記載の本発明にあっては、光コネクタ端面清掃用棒状部の他端がパッケージ基板の前端部を通過して装置実装架の前面に延出しているため、この延出した他端を手で把持したり、または回転駆動装置などの機械に接続して、容易に回転させることができる。
【００１８】
請求項４記載の本発明は、請求項２記載の発明において、前記回転伝達部が、細いコイル状の弾力性のある棒状のスプリングワイヤであることを要旨とする。
【００１９】
請求項４記載の本発明にあっては、回転伝達部は細いコイル状の弾力性のある棒状のスプリングワイヤである。
【００２０】
また、請求項５記載の本発明は、請求項１乃至４のいずれか１項に記載の発明において、前記光コネクタ端面清掃用棒状部が、一端に取り付けられた清掃部材として光ケーブル接続用コネクタの種類に応じて異なる種類の清掃部材を着脱自在に取り付けられるように構成されていることを要旨とする。
【００２１】
請求項５記載の本発明にあっては、光ケーブル接続用コネクタの種類に応じて異なる種類の清掃部材を着脱自在に取り付けられるため、どのような光コネクタにも適確に対応することができる。
【００２２】
更に、請求項６記載の本発明は、請求項１乃至５のいずれか１項に記載の光コネクタ端面清掃用パッケージを使用して、装置実装架に搭載される光信号処理パッケージに取り付けられているパッケージ側光コネクタに接続されるように装置実装架に取り付けられた光ケーブル接続用コネクタの端面を清掃する光コネクタ端面清掃方法であって、前記光信号処理パッケージを装置実装架から取り外し、この取り外した位置に前記光コネクタ端面清掃用パッケージを挿入して、前記光コネクタ端面清掃用棒状部の一端に取り付けられている清掃部材の端面を前記光ケーブル接続用コネクタの端面に当接させ、このように端面同士を当接させた状態で前記光コネクタ端面清掃用棒状部を他端から回転させ、これにより清掃部材の端面を回転させて光ケーブル接続用コネクタの端面を清掃することを要旨とする。
【００２３】
請求項６記載の本発明にあっては、光信号処理パッケージを装置実装架から取り外し、この取り外した位置に光コネクタ端面清掃用パッケージを挿入して、清掃部材の端面を光ケーブル接続用コネクタの端面に当接させ、この端面同士の当接状態で光コネクタ端面清掃用棒状部を他端から回転させ、これにより清掃部材の端面を回転させて光ケーブル接続用コネクタの端面を清掃するため、従来のように光ケーブル接続用コネクタを光伝送装置パッケージ側から取り外す必要もなく、また光ファイバが輻輳している光伝送装置架の背面から光ケーブル接続用コネクタや光ファイバを特定する必要もなく、光伝送装置架の前面側から単に光コネクタ端面清掃用パッケージを挿入し、光コネクタ端面清掃用棒状部を光伝送装置架の前面側で単に回転させるだけで極めて簡単に清掃対象の光ケーブル接続用コネクタの端面を清掃でき、効率化、経済化、迅速化、正確さ、他の光ファイバなどを損傷しないという安全性を向上することができる。
【００２４】
請求項７記載の本発明は、請求項６記載の発明において、前記光コネクタ端面清掃用棒状部の回転が、この光コネクタ端面清掃用棒状部の他端を手動で回転させるかまたは該他端に回転駆動装置を接続し、この回転駆動装置の回転力により該光コネクタ端面清掃用棒状部を機械的に回転させることにより行うことを要旨とする。
【００２５】
請求項７記載の本発明にあっては、光コネクタ端面清掃用棒状部を手動で回転させたり、または回転駆動装置により機械的に回転させるため、例えば少数の光ケーブル接続用コネクタの端面を清掃する場合には手動で行い、多数の光ケーブル接続用コネクタの端面を清掃する場合には回転駆動装置を用いて迅速かつ効率的に行うことができる。
【００２６】
【発明の実施の形態】
以下、図面を用いて本発明の実施の形態を説明する。図１（ａ）、（ｂ）は、本発明の一実施形態に係わる光コネクタ端面清掃用パッケージが実装されている装置実装架である光伝送装置架１の前面および該光伝送装置架１に実装されている光コネクタ端面清掃用パッケージ５の正面をそれぞれ示す図である。
【００２７】
まず、図１（ａ）に示すように、本実施形態の光コネクタ端面清掃用パッケージ５は、光コネクタ端面を清掃するに当って、光伝送装置架１に搭載されている複数の光伝送装置パッケージ３のうち、光コネクタ端面の清掃対象となる光信号処理パッケージである光伝送装置パッケージ３の位置に搭載される。すなわち、清掃対象となる光伝送装置パッケージ３を光伝送装置架１から引き抜いて取り除き、この取り除かれた位置に光コネクタ端面清掃用パッケージ５を挿入などして図１（ａ）のように搭載する。なお、図１（ａ）では、複数の光伝送装置パッケージ３のうち、左から２番目の位置に光コネクタ端面清掃用パッケージ５が搭載されている。
【００２８】
このように搭載された光コネクタ端面清掃用パッケージ５は、図１（ｂ）にその詳細を示すように、光伝送装置パッケージ３と同様に光伝送装置架１に搭載できるように光伝送装置パッケージ３と同じ大きさで矩形のパッケージ基板で形成され、このパッケージ基板上に細長い光コネクタ端面清掃用棒状部である光コネクタスティッククリーナ７が２本、後述するように回転自在に取り付けられている。
【００２９】
この各光コネクタスティッククリーナ７は、一端が光伝送装置架１の背面１ａ寄りの光コネクタ端面清掃用パッケージ５のパッケージ基板の後端部に位置し、他端がパッケージ基板の前端部から光伝送装置架１の前面に延出している。なお、この光コネクタスティッククリーナ７の他端はパッケージ基板の前端部から光伝送装置架１の前面に延出している必要はなく、パッケージ基板の前端部に露出しているだけでもよく、要は後述するように、この他端を介して光コネクタスティッククリーナ７を手動または機械的に回転させることができればよいものである。
【００３０】
更に、各光コネクタスティッククリーナ７は、パッケージ基板の後端部に位置する一端には清掃部材取付部１７を有し、この清掃部材取付部１７は一端が光ケーブル接続用コネクタ９に接続されたパッケージ側光コネクタ８に連結している。なお、図１（ｂ）では、説明の簡単化のため、清掃部材取付部１７の一端はパッケージ側光コネクタ８に連結していると説明したが、具体的には後述するようにパッケージ側光コネクタ８の一部を構成しかつ光伝送装置パッケージ３を光伝送装置架１に装着するための装着冶具（後述する図２（ａ）では、符号８ａで図示）内に清掃部材取付部１７の一端が挿入されるように連結されている。なお、本実施形態では、光コネクタスティッククリーナ７、清掃部材取付部１７、パッケージ側光コネクタ８、光ケーブル接続用コネクタ９は、一例として、それぞれ２個ずつ設けられている場合について図示しているが、本発明はこれに限定されるものでなく、それぞれ１個でもよいし、または３個以上でもよいものである。
【００３１】
更に詳しくは、図２を参照して説明する。図２（ａ）に全体を示し、図２（ｂ）に一部を抽出して示すように、光コネクタスティッククリーナ７は、清掃部材取付部１７が一例として不織布で構成される清掃部材である清掃用不織布部１７ａとこの清掃用不織布部１７ａに一端が接続された不織布取付部１７ｂから構成され、この不織布取付部１７ｂの他端は、連結部材２１によりスプリングワイヤ２３の一端に連結されている。このスプリングワイヤ２３は、本実施形態では細いコイル状の弾力性のある棒状体で構成されているものであるが、両端を除いて、全体的に被覆チューブ２５で被覆され、他端が光コネクタ端面清掃用パッケージ５の前端部より前方に延出している。スプリングワイヤ２３は、図２（ａ）で矢印３１で示すように他端を手動または機械的に回転させると、被覆チューブ２５内で自在に回転し、この回転は連結部材２１を介して不織布取付部１７ｂに伝達され、不織布取付部１７ｂの回転により清掃用不織布部１７ａも回転するようになっている。なお、被覆チューブ２５は、その両端を固定部材２７ａ、２７ｂでパッケージ基板に固定され、不織布取付部１７ｂは取付部材１９で回転自在にパッケージ基板に取り付けられ、位置ずれしないようになっている。
【００３２】
清掃用不織布部１７ａは、上述したようにパッケージ側光コネクタ８を構成するとともに光伝送装置パッケージ３を光伝送装置架１に装着するための装着冶具８ａ内に挿入される。更に詳しくは、装着冶具８ａ内には、図２（ｂ）に示すように、コネクタのフェルールを突き合わせるための筒状体４１が設けられていて、この筒状体４１内に清掃用不織布部１７ａが一方から挿入され、他方から光ケーブル接続用コネクタ９を貫通した光ファイバ９ａの先端９ｂが挿入され、これにより先端９ｂの端面、すなわち光ケーブル接続用コネクタ９の端面が清掃用不織布部１７ａの端面に接触し、上述したように清掃用不織布部１７ａを回転させた場合には、その端面の回転で光ケーブル接続用コネクタ９の端面が清掃されることになる。
【００３３】
不織布取付部１７ｂを回転自在にパッケージ基板に取り付けている取付部材１９は、図３に示すように、対向する側面に半円形の凹部の形成された２個の取付半体１９ａ、１９ｂが蝶番１９ｃで連結して、両者の中央に孔部１９ｄを形成するように構成され、図３（ｃ）に示すように蝶番１９ｃを介して両者を開くことができ、この状態で不織布取付部１７ｂを孔部１９ｄ内に回転自在に固定するようになっている。従って、この孔部１９ｄは、不織布取付部１７ｂの外径よりも若干大きな内径を有するように形成されている。
【００３４】
また、不織布取付部１７ｂとスプリングワイヤ２３を連結している連結部材２１は、図４に示すように、内部に不織布取付部１７ｂが挿入される側が大きく、スプリングワイヤ２３が挿入される側が小さくなるようにテーパ状に形成された孔を有し、このテーパ状の孔に内径の大きい方から不織布取付部１７ｂを押し込むように挿入すると、不織布取付部１７ｂに対して把持力が発生し、不織布取付部１７ｂを確実に保持し、スプリングワイヤ２３からの回転を不織布取付部１７ｂに適確に伝達することができるようになっている。
【００３５】
以上のように構成される光コネクタ端面清掃用パッケージ５を用いて、パッケージ側光コネクタ８の端面を清掃するには、まず、光コネクタ端面の清掃対象となる光伝送装置パッケージ３を特定し、この光伝送装置パッケージ３を光伝送装置架１から取り外す。
【００３６】
それから、この取り外した光伝送装置パッケージ３の位置に光コネクタ端面清掃用パッケージ５を挿入して光伝送装置架１に搭載する。この挿入を通常の光伝送装置パッケージ３の挿入と同様に光伝送装置架１の奥まで完全に行うと、清掃用不織布部１７ａが挿入されている装着冶具８ａの筒状体４１内に対して光伝送装置架１に取り付けられている光ケーブル接続用コネクタ９を貫通した光ファイバ９ａの先端９ｂが挿入される。この結果、先端９ｂの端面、すなわち光ケーブル接続用コネクタ９の端面は、筒状体４１内において清掃用不織布部１７ａの端面と当接する。
【００３７】
上述したように、前記取り外した光伝送装置パッケージ３の位置に光コネクタ端面清掃用パッケージ５を完全に挿入して光伝送装置架１に搭載することで、光ケーブル接続用コネクタ９の端面に対して清掃用不織布部１７ａの端面が当接した状態において、すなわち端面同士の当接状態において、光コネクタ端面清掃用パッケージ５の前端部から前方に延出しているスプリングワイヤ２３の他端を図２（ａ）において矢印３１で示すように手動または機械的に回転させると、この回転はスプリングワイヤ２３から連結部材２１、不織布取付部１７ｂを介して清掃用不織布部１７ａに伝達されて、清掃用不織布部１７ａが回転する。清掃用不織布部１７ａが回転すると、その端面も回転し、この端面の回転により該端面に当接している光ケーブル接続用コネクタ９の端面が清掃されることになる。
【００３８】
なお、スプリングワイヤ２３の他端の機械的回転は、例えばスプリングワイヤ２３の他端に図示しない回転駆動装置を接続し、この回転駆動装置の回転力によりスプリングワイヤ２３を機械的に回転させることにより行うことができる。この回転駆動装置による回転は遠隔的に行うことも容易に可能である。
【００３９】
本実施形態では、清掃部材である清掃用不織布部１７ａは、一例として不織布で構成されるものが使用されているが、これに限定されるものでなく、光ケーブル接続用コネクタ９の種類に応じて異なる種類の清掃部材を清掃部材取付部１７に対して着脱自在に取り付けられるように構成され、どのような種類の光ケーブル接続用コネクタ９にも適用し得るようになっている。
【００４０】
【発明の効果】
以上説明したように、本発明によれば、光コネクタ端面の清掃対象の光信号処理パッケージと同じ大きさのパッケージ基板上に細長い光コネクタ端面清掃用棒状部を回転自在に取り付け、その一端に取り付けられた清掃部材の端面を光ケーブル接続用コネクタの端面に当接して清掃し得るように構成されているので、光コネクタ端面清掃用棒状部を回転させることで清掃部材の端面を回転させ、この回転する端面に当接している光ケーブル接続用コネクタの端面を簡単に清掃でき、従来のように光ケーブル接続用コネクタを光伝送装置パッケージ側から取り外す必要もなく、また光ファイバが輻輳している光伝送装置架の背面から光ケーブル接続用コネクタや光ファイバを特定する必要もなく、光伝送装置架の前面側から単に光コネクタ端面清掃用パッケージを挿入し、光コネクタ端面清掃用棒状部を光伝送装置架の前面側で単に回転させるだけで極めて簡単に清掃対象の光ケーブル接続用コネクタの端面を清掃でき、効率化、経済化、迅速化、正確さ、他の光ファイバなどを損傷しないという安全性を向上することができる。
【００４１】
また、本発明によれば、光コネクタ端面清掃用棒状部の他端がパッケージ基板の前端部を通過して装置実装架の前面に延出しているので、この延出した他端を手で把持したり、または回転駆動装置などの機械に接続して、容易に回転させることができる。
【００４２】
更に、本発明によれば、光ケーブル接続用コネクタの種類に応じて異なる種類の清掃部材を着脱自在に取り付けられるので、どのような光コネクタにも適確に対応することができる。
【００４３】
本発明によれば、光信号処理パッケージを装置実装架から取り外し、この取り外した位置に光コネクタ端面清掃用パッケージを挿入して、清掃部材の端面を光ケーブル接続用コネクタの端面に当接させ、光コネクタ端面清掃用棒状部を他端から回転させ、これにより清掃部材の端面を回転させて光ケーブル接続用コネクタの端面を清掃するので、従来のように光ケーブル接続用コネクタを光伝送装置パッケージ側から取り外す必要もなく、また光ファイバが輻輳している光伝送装置架の背面から光ケーブル接続用コネクタや光ファイバを特定する必要もなく、光伝送装置架の前面側から単に光コネクタ端面清掃用パッケージを挿入し、光コネクタ端面清掃用棒状部を光伝送装置架の前面側で単に回転させるだけで極めて簡単に清掃対象の光ケーブル接続用コネクタの端面を清掃でき、効率化、経済化、迅速化、正確さ、他の光ファイバなどを損傷しないという安全性を向上することができる。
【００４４】
また、本発明によれば、光コネクタ端面清掃用棒状部を手動で回転させたり、または回転駆動装置により機械的に回転させるので、例えば少数の光ケーブル接続用コネクタの端面を清掃する場合には手動で行い、多数の光ケーブル接続用コネクタの端面を清掃する場合には回転駆動装置を用いて迅速かつ効果的に行うことができる。
【図面の簡単な説明】
【図１】本発明の一実施形態に係わる光コネクタ端面清掃用パッケージが実装されている光伝送装置架の前面および光伝送装置架に実装されている光コネクタ端面清掃用パッケージの正面を示す図である。
【図２】図１に示す光コネクタ端面清掃用パッケージの詳細な構成および一部の詳細な構成を示す図である。
【図３】図２に示す光コネクタ端面清掃用パッケージに使用されている取付部材の構成を示す図である。
【図４】図２に示す光コネクタ端面清掃用パッケージに使用されている連結部材の構成を示す図である。
【図５】光伝送装置パッケージが実装されいる光伝送装置架の前面および光伝送装置架に実装されいる光伝送装置パッケージを示す図である。
【図６】図５（ｂ）に示す光伝送装置パッケージのパッケージ側光コネクタに接続されている光ケーブル接続用コネクタの端面をコネクタクリーナ１０１を用いて清掃する従来の方法を説明するための図である。
【符号の説明】
１  光伝送装置架
３  光伝送装置パッケージ
５  光コネクタ端面清掃用パッケージ
７  光コネクタスティッククリーナ
８  パッケージ側光コネクタ
８ａ  装着冶具
９  光ケーブル接続用コネクタ
１７  清掃部材取付部
１７ａ  清掃用不織布
１７ｂ  不織布取付部
１９  取付部材
２１  連結部材
２３  スプリングワイヤ
２５  被覆チューブ
２７ａ、２７ｂ  固定部材
４１  筒状体
【図１】
2004317747.tif 000003
【図２】
2004317747.tif 000004
【図３】
2004317747.tif 000005
【図４】
2004317747.tif 000006
【図５】
2004317747.tif 000007
【図６】
2004317747.tif 000008